(57)【要約】【課題】  音の発生源となっている出力ディスク８の振動を抑えて、騒音を低減する。【解決手段】  インナーハブ２２の外径ΦＡをピン部２３の内径ΦＰよりも大きくしている。  金属製であるインナーハブ２２の外径ΦＡを樹脂製であるピン部２３の部分まで大きくすることにより、出力ディスク８の剛性を高くしている。これによれば、出力ディスク８の振動が抑えられ、従来、回転装置である冷媒圧縮機をＯＦＦしている時に発生していた１．５〜２ＫＨｚ付近の騒音を、低減することができる。また、本構造の特徴として、出力ディスク８を大きくしたり他の部品を変更したりすることなく、出力ディスク８の変更のみで騒音の低減をすることができる。また、インナーハブ２２の慣性重量のアップにより、冷媒圧縮機の圧縮仕事によるトルク（回転）変動を低減することができる。【選択図】    図２
2005331082.tif 000002
【特許請求の範囲】
【請求項１】
駆動源から回転動力を受けて回転する駆動側回転体（７）と、
回転装置の回転軸（２）に結合される従動側回転体（８）とを備え、
前記駆動側回転体（７）の軸方向の一端面には凹状嵌合部（１５）が設けられ、
前記従動側回転体（８）の軸方向の他端面には凸状嵌合部（２３）が設けられ、
前記凹状嵌合部（１５）内に前記凸状嵌合部（２３）嵌め込むことで連結して前記駆動側回転体（７）の回転を前記従動側回転体（８）に伝達する動力伝達装置であって、
前記従動側回転体（８）は、外径側に配されて前記凸状嵌合部（２３）を有して樹脂製で円環状のアウターハブ（２１）と、その内径側に配されて前記アウターハブ（２１）にインサート成形されて前記回転軸（２）の外周側に結合される金属製で円環状のインナーハブ（２２）とを有し、
前記インナーハブ（２２）の外径（ΦＡ）を前記凸状嵌合部（２３）の内径（ΦＰ）よりも大きくしたことを特徴とする動力伝達装置。
【請求項２】
駆動源から回転動力を受けて回転する駆動側回転体（７）と、
回転装置の回転軸（２）に結合される従動側回転体（８）とを備え、
前記駆動側回転体（７）の軸方向の一端面には凹状嵌合部（１５）が設けられ、
前記従動側回転体（８）の軸方向の他端面には凸状嵌合部（２３）が設けられ、
前記凹状嵌合部（１５）内に前記凸状嵌合部（２３）嵌め込むことで連結して前記駆動側回転体（７）の回転を前記従動側回転体（８）に伝達する動力伝達装置であって、
前記従動側回転体（８）は、外径側に配されて前記凸状嵌合部（２３）を有して樹脂製で円環状のアウターハブ（２１）と、その内径側に配されて前記アウターハブ（２１）にインサート成形されて金属製で円環状のインナーハブ（２２）とを有し、
前記インナーハブ（２２）は、前記回転軸（２）の外周側に結合される略円筒状の内輪部（３１）と、この内輪部（３１）よりも外周側に配される略円環板状の外輪部（３２）とを有し、
前記外輪部（３２）の板厚（ｔＡ）を３ｍｍ以上、より好ましくは４ｍｍ以上としたことを特徴とする動力伝達装置。
【請求項３】
前記従動側回転体（８）は、前記インナーハブ（２２）の軸方向の一端面を覆うディスクカバー（６０）を有し、
前記ディスクカバー（６０）を形成する素材に非金属材料を用いたことを特徴とする請求項１または請求項２に記載の動力伝達装置。
【請求項４】
駆動源から回転動力を受けて回転する駆動側回転体（７）と、
回転装置の回転軸（２）に結合される従動側回転体（８）とを備え、
前記駆動側回転体（７）の軸方向の一端面には凹状嵌合部（１５）が設けられ、
前記従動側回転体（８）の軸方向の他端面には凸状嵌合部（２３）が設けられ、
前記凹状嵌合部（１５）内に前記凸状嵌合部（２３）嵌め込むことで連結して前記駆動側回転体（７）の回転を前記従動側回転体（８）に伝達する動力伝達装置であって、
前記従動側回転体（８）は、外径側に配されて前記凸状嵌合部（２３）を有して金属製で円環状のアウターハブ（２１）と、その内径側に配されて前記アウターハブ（２１）と結合されて前記回転軸（２）の外周側に結合される金属製で円環状のインナーハブ（２２）とを有することを特徴とする動力伝達装置。
【請求項５】
前記アウターハブ（２１）にて前記インナーハブ（２２）の軸方向の一端面を覆ったことを特徴とする請求項４に記載の動力伝達装置。
【請求項６】
駆動源から回転動力を受けて回転する駆動側回転体（７）と、
回転装置の回転軸（２）に結合される従動側回転体（８）とを備え、
前記駆動側回転体（７）の軸方向の一端面には凹状嵌合部（１５）が設けられ、
前記従動側回転体（８）の軸方向の他端面には凸状嵌合部（２３）が設けられ、
前記凹状嵌合部（１５）内に前記凸状嵌合部（２３）嵌め込むことで連結して前記駆動側回転体（７）の回転を前記従動側回転体（８）に伝達する動力伝達装置であって、
前記従動側回転体（８）は、前記回転軸（２）の外周側に結合される略円筒状の内輪部（３１）と、この内輪部（３１）よりも外周側に配されて前記凸状嵌合部（２３）を有して略円環板状の外輪部（３２）とを、金属材料にて一体に形成していることを特徴とする動力伝達装置。
【請求項７】
駆動源から回転動力を受けて回転する駆動側回転体（７）と、
回転装置の回転軸（２）に結合される従動側回転体（８）とを備え、
前記駆動側回転体（７）の軸方向の一端面には凹状嵌合部（１５）が設けられ、
前記従動側回転体（８）の軸方向の他端面には凸状嵌合部（２３）が設けられ、
前記凹状嵌合部（１５）内に前記凸状嵌合部（２３）嵌め込むことで連結して前記駆動側回転体（７）の回転を前記従動側回転体（８）に伝達する動力伝達装置であって、
前記従動側回転体（８）は、外径側に配されて前記凸状嵌合部（２３）を有して樹脂製で円環状のアウターハブ（２１）と、その内径側に配されて前記アウターハブ（２１）にインサート成形されて前記回転軸（２）の外周側に結合される金属製で円環状のインナーハブ（２２）と、これらの軸方向の一端面を覆う吸音部材（７０）とを有していることを特徴とする動力伝達装置。
【発明の詳細な説明】
【技術分野】
【０００１】
本発明は、駆動源から回転装置の回転軸へ回転動力を伝達する動力伝達装置に関するものであり、特に、車両用空調装置の可変容量コンプレッサ（回転装置）をエンジン（駆動源）にて駆動する場合のコンプレッサプーリーに適用して好適である。
【背景技術】
【０００２】
従来、例えば０％容量まで冷媒の吐出容量を変化させることが可能な可変容量型冷媒圧縮機を備えた冷凍サイクルでは、エンジンから冷媒圧縮機の駆動軸へ回転動力（トルク）の伝達を断続するクラッチ機構が不要となる。しかし、クラッチ機構を廃止した場合には、冷媒圧縮機が焼き付き故障を生ずるなどして冷媒圧縮機の駆動軸のロックが発生すると、通常の伝達トルクよりも非常に大きい過負荷トルク（リミッタ作動トルク）が生じる。
【０００３】
それによって、冷媒圧縮機の駆動軸を駆動するためのプーリーの回転が止まるので、エンジンに駆動されるベルトが滑り、ベルトに摩耗が生じ、ベルトが発熱するなどしてベルトが破断する可能性がある。そこで、本出願人は先に、冷媒圧縮機の駆動軸がロックするなどの過負荷トルクが生じ、プーリーと冷媒圧縮機の駆動軸との間に設定トルク以上のトルク差が生じると、エンジンから冷媒圧縮機の駆動軸への動力伝達経路を遮断するトルクリミッタ機構を備えた特許文献１の動力伝達装置を提案している。
【０００４】
この動力伝達装置は、エンジンによりベルト駆動されるプーリーと、このプーリーとの間にゴム系の弾性体（以下、ゴムダンパと言う）とピン部とを介して連結されて冷媒圧縮機の駆動軸に連結された出力ディスクとを備えている。ゴムダンパは、冷媒圧縮機の圧縮仕事によって生ずるトルク変動を吸収すると共に、ベルトを介しての車両側への振動（回転角変動）伝達を軽減して実車騒音を低減するダンピング機構となっている。
【０００５】
また、出力ディスクは外径側の樹脂製アウターハブと、その内径側にインサート成形された金属製のインナーハブとを有し、インナーハブは、冷媒圧縮機の駆動軸に連結される内輪部と、外周側の外輪部と、その間を連結するブリッジ部とからなり、過負荷トルク（リミッタ作動トルク）が生じるとブリッジ部で破損して動力伝達を遮断するトルクリミッタ機構となっている。
【特許文献１】特開平１４−５４７１１号公報
【発明の開示】
【発明が解決しようとする課題】
【０００６】
しかしながら、上記従来の動力伝達装置を採用した可変容量型冷媒圧縮機において、冷媒圧縮機の圧縮仕事が０の時（ＯＦＦ運転時）に、冷媒圧縮機内部の遊びと、動力伝達装置の遊び（ゴムダンパの圧縮によるプーリーと出力ディスクとのずれ、図９参照）とをして起振力として出力ディスクが振動し、出力ディスクから１．５〜２ＫＨｚの周波数帯で異音が発生する場合があるという問題がある。
【０００７】
ちなみに、図９の（ａ）はゴムダンパ９とピン部２３との間に正のトルクが掛かったときの状態を示し、（ｂ）は負のトルクが掛かったときの状態を示す部分説明図である。また、図５は冷媒圧縮機より発生する音の周波数と音圧との関係を示したグラフであり、グラフ中に従来品として示すピーク部分が、問題とする音の部分である。本発明は、上記従来の問題に鑑みて成されたものであり、その目的は、音の発生源となっている出力ディスクの振動を抑えて、騒音を低減することのできる動力伝達装置を提供することにある。
【課題を解決するための手段】
【０００８】
本発明は上記目的を達成するために、請求項１ないし請求項７に記載の技術的手段を採用する。すなわち、請求項１に記載の発明では、駆動源から回転動力を受けて回転する駆動側回転体（７）と、回転装置の回転軸（２）に結合される従動側回転体（８）とを備え、駆動側回転体（７）の軸方向の一端面には凹状嵌合部（１５）が設けられ、従動側回転体（８）の軸方向の他端面には凸状嵌合部（２３）が設けられ、凹状嵌合部（１５）内に凸状嵌合部（２３）嵌め込むことで連結して駆動側回転体（７）の回転を従動側回転体（８）に伝達する動力伝達装置であって、
従動側回転体（８）は、外径側に配されて凸状嵌合部（２３）を有して樹脂製で円環状のアウターハブ（２１）と、その内径側に配されてアウターハブ（２１）にインサート成形されて回転軸（２）の外周側に結合される金属製で円環状のインナーハブ（２２）とを有し、インナーハブ（２２）の外径（ΦＡ）を凸状嵌合部（２３）の内径（ΦＰ）よりも大きくしたことを特徴としている。
【０００９】
本発明は、音の発生源となっている従動側回転体（８）の剛性を上げることにより、従動側回転体（８）の振動（いわゆる音の発生）を抑える構造を考案したものであり、本請求項の発明では、金属製であるインナーハブ（２２）の外径（ΦＡ）を樹脂製である凸状嵌合部（２３）の部分まで大きくすることにより、従動側回転体（８）の剛性を高くしている。
【００１０】
この請求項１に記載の発明によれば、従動側回転体（８）の振動が抑えられ、従来、回転装置である冷媒圧縮機をＯＦＦしている時に発生していた１．５〜２ＫＨｚ付近の騒音を、低減することができる。また、本構造の特徴として、従動側回転体（８）を大きくしたり動力伝達装置の他の部品を変更したりすることなく、従動側回転体（８）の変更のみで騒音の低減をすることができる。また、インナーハブ（２２）の慣性重量のアップにより、冷媒圧縮機の圧縮仕事によるトルク（回転）変動を低減することができる。
【００１１】
また、請求項２に記載の発明では、駆動源から回転動力を受けて回転する駆動側回転体（７）と、回転装置の回転軸（２）に結合される従動側回転体（８）とを備え、駆動側回転体（７）の軸方向の一端面には凹状嵌合部（１５）が設けられ、従動側回転体（８）の軸方向の他端面には凸状嵌合部（２３）が設けられ、凹状嵌合部（１５）内に凸状嵌合部（２３）嵌め込むことで連結して駆動側回転体（７）の回転を従動側回転体（８）に伝達する動力伝達装置であって、
従動側回転体（８）は、外径側に配されて凸状嵌合部（２３）を有して樹脂製で円環状のアウターハブ（２１）と、その内径側に配されてアウターハブ（２１）にインサート成形されて金属製で円環状のインナーハブ（２２）とを有し、インナーハブ（２２）は、回転軸（２）の外周側に結合される略円筒状の内輪部（３１）と、この内輪部（３１）よりも外周側に配される略円環板状の外輪部（３２）とを有し、外輪部（３２）の板厚（ｔＡ）を３ｍｍ以上、より好ましくは４ｍｍ以上としたことを特徴としている。
【００１２】
本発明も、音の発生源となっている従動側回転体（８）の剛性を上げることにより、従動側回転体（８）の振動（いわゆる音の発生）を抑える構造を考案したものであり、本請求項の発明では、金属製であるインナーハブ（２２）の外輪部（３２）の板厚（ｔＡ）を厚くすることにより、従動側回転体（８）の剛性を高くしている。
【００１３】
この請求項２に記載の発明によれば、従動側回転体（８）の振動が抑えられ、従来、回転装置である冷媒圧縮機をＯＦＦしている時に発生していた１．５〜２ＫＨｚ付近の騒音を、低減することができる。また、本構造の特徴として、従動側回転体（８）を大きくしたり動力伝達装置の他の部品を変更したりすることなく、従動側回転体（８）の変更のみで騒音の低減をすることができる。また、インナーハブ（２２）の慣性重量のアップにより、冷媒圧縮機の圧縮仕事によるトルク（回転）変動を低減することができる。
【００１４】
また、請求項３に記載の発明では、従動側回転体（８）は、インナーハブ（２２）の軸方向の一端面を覆うディスクカバー（６０）を有し、ディスクカバー（６０）を形成する素材に非金属材料を用いたことを特徴としている。
【００１５】
本発明は、音の発生源の１つとなっているディスクカバー（６０）の固有振動数を変更することにより、ディスクカバー（６０）からの音の発生を抑える構造を考案したものであり、この請求項３に記載の発明によれば、ディスクカバー（６０）を従来はアルミニウム板で形成していたのに対して、ガスケット・ワニスシート・紙・布・ゴムなどの非金属材料を用いて形成したものである。
【００１６】
このようにアルミニウムと固有振動数の異なる素材を使用することにより、共振点を変えることができ、従来、回転装置である冷媒圧縮機をＯＦＦしている時に発生していた１．５〜２ＫＨｚ付近の騒音を、低減することができる。また、本構造の特徴として、動力伝達装置の他の部品を変更することなく、ディスクカバー（６０）の変更のみで騒音の低減をすることができる。
【００１７】
また、請求項４に記載の発明では、駆動源から回転動力を受けて回転する駆動側回転体（７）と、回転装置の回転軸（２）に結合される従動側回転体（８）とを備え、駆動側回転体（７）の軸方向の一端面には凹状嵌合部（１５）が設けられ、従動側回転体（８）の軸方向の他端面には凸状嵌合部（２３）が設けられ、凹状嵌合部（１５）内に凸状嵌合部（２３）嵌め込むことで連結して駆動側回転体（７）の回転を従動側回転体（８）に伝達する動力伝達装置であって、
従動側回転体（８）は、外径側に配されて凸状嵌合部（２３）を有して金属製で円環状のアウターハブ（２１）と、その内径側に配されてアウターハブ（２１）と結合されて回転軸（２）の外周側に結合される金属製で円環状のインナーハブ（２２）とを有することを特徴としている。
【００１８】
本発明も、音の発生源となっている従動側回転体（８）の剛性を上げることにより、従動側回転体（８）の振動（いわゆる音の発生）を抑える構造を考案したものであり、本請求項の発明では、従来樹脂製であったアウターハブ（２１）を金属製にすることにより、従動側回転体（８）の剛性を高くしている。
【００１９】
この請求項４に記載の発明によれば、従動側回転体（８）の振動が抑えられ、従来、回転装置である冷媒圧縮機をＯＦＦしている時に発生していた１．５〜２ＫＨｚ付近の騒音を、低減することができる。また、本構造の特徴として、従動側回転体（８）を大きくしたり動力伝達装置の他の部品を変更したりすることなく、従動側回転体（８）の変更のみで騒音の低減をすることができる。また、従動側回転体（８）の慣性重量のアップにより、冷媒圧縮機の圧縮仕事によるトルク（回転）変動を低減することができる。
【００２０】
また、請求項５に記載の発明では、アウターハブ（２１）にてインナーハブ（２２）の軸方向の一端面を覆ったことを特徴としている。この請求項５に記載の発明によれば、ディスクカバー（６０）を不要とすることができ、動力伝達装置のコストを抑えることができる。
【００２１】
また、請求項６に記載の発明では、駆動源から回転動力を受けて回転する駆動側回転体（７）と、回転装置の回転軸（２）に結合される従動側回転体（８）とを備え、駆動側回転体（７）の軸方向の一端面には凹状嵌合部（１５）が設けられ、従動側回転体（８）の軸方向の他端面には凸状嵌合部（２３）が設けられ、凹状嵌合部（１５）内に凸状嵌合部（２３）嵌め込むことで連結して記駆動側回転体（７）の回転を従動側回転体（８）に伝達する動力伝達装置であって、
従動側回転体（８）は、回転軸（２）の外周側に結合される略円筒状の内輪部（３１）と、この内輪部（３１）よりも外周側に配されて凸状嵌合部（２３）を有して略円環板状の外輪部（３２）とを、金属材料にて一体に形成していることを特徴としている。
【００２２】
本発明も、音の発生源となっている従動側回転体（８）の剛性を上げることにより、従動側回転体（８）の振動（いわゆる音の発生）を抑える構造を考案したものであり、本請求項の発明では、従来アウターハブ（２１）とインナーハブ（２２）とで構成していた従動側回転体（８）を、金属材料にて一体に形成することにより、従動側回転体（８）の剛性を高くしている。
【００２３】
この請求項６に記載の発明によれば、従動側回転体（８）の振動が抑えられ、従来、回転装置である冷媒圧縮機をＯＦＦしている時に発生していた１．５〜２ＫＨｚ付近の騒音を、低減することができる。また、本構造の特徴として、従動側回転体（８）を大きくしたり動力伝達装置の他の部品を変更したりすることなく、従動側回転体（８）の変更のみで騒音の低減をすることができる。また、従動側回転体（８）の慣性重量のアップにより、冷媒圧縮機の圧縮仕事によるトルク（回転）変動を低減することができる。
【００２４】
また、請求項７に記載の発明では、駆動源から回転動力を受けて回転する駆動側回転体（７）と、回転装置の回転軸（２）に結合される従動側回転体（８）とを備え、駆動側回転体（７）の軸方向の一端面には凹状嵌合部（１５）が設けられ、従動側回転体（８）の軸方向の他端面には凸状嵌合部（２３）が設けられ、凹状嵌合部（１５）内に凸状嵌合部（２３）嵌め込むことで連結して駆動側回転体（７）の回転を従動側回転体（８）に伝達する動力伝達装置であって、
従動側回転体（８）は、外径側に配されて凸状嵌合部（２３）を有して樹脂製で円環状のアウターハブ（２１）と、その内径側に配されてアウターハブ（２１）にインサート成形されて回転軸（２）の外周側に結合される金属製で円環状のインナーハブ（２２）と、これらの軸方向の一端面を覆う吸音部材（７０）とを有していることを特徴としている。
【００２５】
本発明は、音の発生源となっている従動側回転体（８）を吸音部材（７０）で覆うことにより、従動側回転体（８）からの音の伝播を抑える構造を考案したものであり、本請求項の発明では、従動側回転体（８）の一端面を吸音部材（７０）で覆っている。この請求項７に記載の発明によれば、従動側回転体（８）からの音の伝播が抑えられ、従来、回転装置である冷媒圧縮機をＯＦＦしている時に発生していた１．５〜２ＫＨｚ付近の騒音を、低減することができる。
【００２６】
また、本構造の特徴として、従動側回転体（８）を大きくしたり動力伝達装置の他の部品を変更したりすることなく、吸音部材（７０）の追加のみで騒音の低減をすることができる。また、吸音部材（７０）がディスクカバー（６０）の機能であるトルクリミッタ機構の保護および作動後の破片の飛散防止を兼ねることでディスクカバー（６０）を不要とすることができ、動力伝達装置のコストを抑えることができる。ちなみに、上記各手段の括弧内の符号は、後述する実施形態に記載の具体的手段との対応関係を示す一例である。
【発明を実施するための最良の形態】
【００２７】
（第１実施形態）
以下、本発明の実施の形態について図面を用いて詳細に説明する。図１ないし図４は本発明の第１実施形態を示したものである。図１は、本発明の第１実施形態におけるコンプレッサプーリー装置を示した正面図と、半側面図および半断面図である。図２の（ａ）は図１の出力ディスク８を内側から見た半正面図であり、（ｂ）は図１の出力ディスク８の半断面図、（ｃ）は従来の出力ディスク８の半断面図である。また、図３は図１のインナーハブ２２の正面図と断面図であり、図４は図１のディスクカバー６０の正面図と断面図である。
【００２８】
本実施形態のコンプレッサプーリー装置は、エンジン（本発明の駆動源に相当する）を搭載する自動車などの車両のエンジンルーム内に配設されて、エンジン補機（以下、コンプレッサと言う）へエンジンの回転動力を伝達する動力伝達装置で、後述するダンピング機構とトルクリミッタ機構とを備えている。
【００２９】
ここで、本実施形態で使用されるコンプレッサ（本発明の回転装置に相当する）は、車両用空調装置の冷凍サイクルの一構成部品である。このコンプレッサは、図示しない冷媒圧縮部と、０％容量まで冷媒の吐出容量を変化させることが可能な図示しない吐出容量可変手段と、その冷媒圧縮部および吐出容量可変手段を収容する円筒形状のコンプレッサハウジング（以下ハウジングと略す）１とから構成された可変容量型冷媒圧縮機である。
【００３０】
ハウジング１は、例えばコンプレッサプーリー装置側から順に、フロントハウジング、シリンダおよびリヤハウジングなどよりなる。そして、冷媒圧縮部は、シャフト２を回転させることにより吸入した冷媒を圧縮して吐出する。そのシャフト２は、本発明の回転軸に相当するもので、先端部に外周ねじ部（雄ねじ部）３を有している。
【００３１】
ハウジング１の前端部には、中央部より軸方向外方側に突出するように円筒形状のスリーブ部４が一体的に形成されている。このスリーブ部４は、外周側においてボールベアリング５を保持する軸受保持部である。尚、スリーブ部４の外周には、ボールベアリング５をハウジング１の円環状の段差部分との間に挟み込んだ状態で係止するサークリップ６が嵌め込まれている。
【００３２】
コンプレッサプーリー装置は、エンジンの運転時に常時回転するＶプーリー７と、このＶプーリー７からトルクを受けて回転する出力ディスク８と、Ｖプーリー７と出力ディスク８との間に装着された複数個のゴムダンパ９とから構成されている。Ｖプーリー７は、本発明の駆動側回転体に相当するもので、例えば鉄系やアルミニウム系の金属材料、もしくはフェノール樹脂などの熱硬化性樹脂材料により所定の形状に形成されている。
【００３３】
このＶプーリー７は、エンジンに常時駆動される略円筒形状の筒壁部１１、この筒壁部１１よりも内径側に設けられた側壁部１２、およびこの側壁部１２よりも内径側に設けられた軸受保持部１３などを有しており、軸受保持部１３は、ボールベアリング５の外周側を保持する。また、筒壁部１１の外周には、多段式の図示しないＶベルトが掛けられている。このため、筒壁部１１の外周には、Ｖベルトの内周面に形成された複数のＶ字状溝部に対応した複数のＶ字状溝部１４が形成されている。
【００３４】
そして、そのＶベルトは、エンジンのクランク軸に取り付けられた図示しないクランクプーリーに掛け渡されている。尚、Ｖベルトは、コンプレッサプーリー装置だけでなく、他のエンジン補機類（例えばオルタネータ、エンジン冷却装置のウォータポンプ、パワーステアリング装置の油圧ポンプなど）のＶプーリー装置にも共掛けされている。
【００３５】
側壁部１２には、図１（ａ）の平面図に示したように、複数個のゴムダンパ９がそれぞれ装着される軸方向穴（本発明の凹状嵌合部に相当する）１５が複数個形成されている。複数個の軸方向穴１５は、周方向に等間隔（例えば６０°間隔）で設けられている。出力ディスク８は、本発明の従動側回転体に相当するもので、Ｖプーリー７の側壁部１２よりも前方側で、側壁部１２の前壁面に対向するように配置されたハブ部材である。
【００３６】
この出力ディスク８は、外周側（外径側）に配された樹脂製のアウターハブ２１、およびコンプレッサのシャフト２の外周に結合する金属製のインナーハブ２２などから構成されている。アウターハブ２１は、例えばナイロン樹脂などの熱可塑性樹脂、またはフェノール系樹脂などの熱硬化性樹脂により所定の形状に一体成形されている。このアウターハブ２１の後壁面からは、図１（ｂ）に示すように、図示右側に突出する複数個のピン部（本発明の凸状嵌合部に相当する）２３が周方向に等間隔（例えば６０°間隔）で設けられている。
【００３７】
インナーハブ２２は、例えば焼結金属、鋳鉄またはアルミニウム製鋳物などの金属により一体的に設けられて、アウターハブ２１にインサート成形されている。このインナーハブ２２は、内周側（内径側）に配される略円筒状の内輪部（以下インナーリングと言う）３１、このインナーリング３１よりも外周側（外径側）に配される略円環板状の外輪部（以下アウターリングと言う）３２、およびインナーリング３１の外周とアウターリング３２の内周とを連結する複数個（本例では３個）のブリッジ部３３を有している。
【００３８】
インナーリング３１の中央部には、コンプレッサのシャフト２の外周にインナーハブ２２を締め付け固定するための締め付け工具が係合する工具孔部３４（本例では３個）が形成されている。このインナーリング３１の内周には、コンプレッサのシャフト２の外周に設けられた外周ねじ部３に螺合する内周ねじ部３５が成形されている。
【００３９】
本実施形態のアウターリング３２の表面は、アウターハブ２１を構成する樹脂材料で覆われている。そして、アウターリング３２には、アウターハブ２１を構成する樹脂材料との結合力を高めるための複数個（本例では３個）の丸穴部３６が設けられている。これらの丸穴部３６は、周方向に等間隔（例えば１２０°間隔）で形成されている。
【００４０】
複数個のブリッジ３３は、インナーリング３１の外周面よりアウターリング３２の内周面にかけて径方向に放射状に設けられている。これらのブリッジ３３は、出力ディスク８のインナーハブ２２が受けるトルク伝達による応力が、その他の箇所に比べて高い複数個（本例では３個）の破損部３７を設けている。これらの破損部３７は、ブリッジ３３のインナーリング３１側の根元部分に設けられ、周方向に形成された略円弧状の貫通孔３８間に設けられている。
【００４１】
これらの破損部３７は、出力ディスク８のインナーハブ２２に通常の伝達トルク（例えば１５Ｎｍ）よりも非常に大きい過負荷トルク（例えば４０Ｎｍ）が生じた際に優先的に破損してインナーハブ２２の外径側と内径側とが分離することで、エンジンからコンプレッサのシャフト２への動力伝達経路を遮断するトルクリミッタ機構を構成する。
【００４２】
出力ディスク８は、インナーハブ２２の軸方向の一端面を覆うディスクカバー６０を有している。このディスクカバー６０は、トルクリミッタ機構の保護および作動後の破片の飛散防止を行うためのものであり、インナーハブ２２と一緒にアウターハブ２１にインサート成型したものである。但し、従来はアルミニウム板で形成していたのに対し、本発明ではガスケット・ワニスシート・紙・布・ゴムなどの非金属材料を用いて形成している。
【００４３】
複数個のゴムダンパ９は、例えば塩素化ブチルゴム、スチレンブタジエンゴムまたは天然ゴムなどを略Ｕ字形状となるように一体成形されたゴム系の弾性体である。これらのゴムダンパ９は、アウターハブ２１の後壁面より後方側に突出するピン部２３が嵌め合わされる凹状の被嵌合部３９を有している。複数個のゴムダンパ９は、アウターハブ２１のピン部２３の外周面とＶプーリー７の側壁部１２の前壁面に形成された軸方向穴１５の内周面との間の横Ｕ字状の中空部にそれぞれ圧入または接着などにより装着されて、Ｖプーリー７から出力ディスク８へのトルク変動を吸収する。
【００４４】
次に、本発明の要部を、図２を用いて説明する。図２は、出力ディスク８の構造を、従来（ｃ）と本発明（ｂ）との対比で示したものである。従来はインナーハブ２２の外径ΦＢが、ピン部２３の内径ΦＰよりも小さかったのに対し、本発明ではインナーハブ２２の外径ΦＡをピン部２３の内径ΦＰよりも大きくしている。また、従来はアウターリング３２の板厚ｔＢが２．７ｍｍであったのに対し、本発明では４ｍｍとしている。いずれも出力ディスク８の剛性を向上させるためのものである。
【００４５】
次に、本実施形態のコンプレッサプーリー装置の作用を図１に基づいて簡単に説明する。コンプレッサプーリー装置の通常作動時には、出力ディスク８のインナーハブ２２が駆動可能な状態に保持されている。従って、エンジンが始動することによりクランク軸が回転し、クランクプーリーおよびＶベルトを介してＶプーリー７の筒壁部１１にエンジンの回転動力（トルク）が伝達される。
【００４６】
そして、Ｖプーリー７の側壁部１２に設けられた軸方向穴１５の周方向の内壁面からゴムダンパ９にトルクが伝わり、更に、ゴムダンパ９の凹状被嵌合部３９の内側面から出力ディスク８のアウターハブ２１に設けられたピン部２３の外周面にトルクが伝わる。これにより、アウターハブ２１が回転するので、アウターハブ２１にインサート成形されたインナーハブ２２のインナーリング３１、アウターリング３２および複数個のブリッジ３３も回転する。
【００４７】
そして、インナーハブ２２のインナーリング３１の内周ねじ部３５がコンプレッサのシャフト２の外周ねじ部３に螺合しているので、出力ディスク８のインナーハブ２２に追従してコンプレッサのシャフト２が回転する。このため、コンプレッサが、エバポレータ（冷媒蒸発器）より吸引した冷媒を圧縮して高温・高圧の冷媒ガスをコンデンサ（冷媒凝縮器）に向けて吐出するので、自動車などの車両車室内の冷房が成される。
【００４８】
ここで、コンプレッサが焼き付き故障を起こすなどしてコンプレッサのシャフト２のロックが生じると、出力ディスク８の回転が停止したままＶプーリー７が回転をし続けようとするため、出力ディスク８のインナーハブ２２に通常の伝達トルク（例えば１５Ｎｍ）よりも非常に大きい過負荷トルク（例えば４０Ｎｍ：衝撃トルク）が発生する。
【００４９】
すなわち、出力ディスク８のインナーハブ２２のインナーリング３１とアウターリング３２との間に設定トルク以上のトルク差が発生すると、インナーハブ２２のブリッジ３３でインナーリング３１側の根元部分に設けられた複数個の破損部３７、つまりトルク伝達による応力がその他の箇所に比べて高い部位に多大な応力が加わり、複数個の破損部３７は優先的に破損する（折れる）。
【００５０】
このため、インナーハブ２２のインナーリング３１とアウターリング３２とが分離され、Ｖプーリー７、複数個のゴムダンパ９、出力ディスク８のアウターハブ２１およびインナーハブ２２のアウターリング３２がインナーリング３１に対してフリーで自転する。このように、インナーハブ２２のインナーリング３１とアウターリング３２との間に設定トルク以上のトルク差が発生した時には、ブリッジ３３に設けた破損部３７が優先的に破損する。
【００５１】
つまり、トルクリミッタ機構が作動することにより、Ｖプーリー７からコンプレッサのシャフト２へのトルクの伝達が遮断されるので、エンジンからコンプレッサのシャフト２への動力伝達経路が遮断される。尚、破損してインナーハブ２２のインナーリング３１およびブリッジ３３の内径側より離れた出力ディスク８のアウターハブ２１、インナーハブ２２のアウターリング３２およびブリッジ３３の外径側は、コンプレッサのシャフト２の軸方向に平行な軸線に対してコンプレッサ側が小径となるように複数個の破損部３７が傾斜して設けられている。
【００５２】
それによって、出力ディスク８のアウターハブ２１、インナーハブ２２のアウターリング３２およびブリッジ３３の外径側がＶプーリー７の筒壁部１１の前端面よりも前方側（図１（ｂ）において図示左側）へ移動することはなく、Ｖプーリー７の筒壁部１１よりも内径側に保持される。従って、出力ディスク８のアウターハブ２１、インナーハブ２２のアウターリング３２およびブリッジ３３の外径側は、Ｖプーリー７の回転に伴って複数個のゴムダンパ９と共に回転する。
【００５３】
次に、本実施形態での特徴と、その効果について述べる。まず、出力ディスク８は、外径側に配されてピン部２３を有して樹脂製で円環状のアウターハブ２１と、その内径側に配されてアウターハブ２１にインサート成形されてシャフト２の外周側に結合される金属製で円環状のインナーハブ２２とを有し、インナーハブ２２の外径ΦＡをピン部２３の内径ΦＰよりも大きくしている。
【００５４】
また、インナーハブ２２は、シャフト２の外周側に結合される略円筒状のインナーリング３１と、このインナーリング３１よりも外周側に配される略円環板状のアウターリング３２とを有し、アウターリング３２の板厚ｔＡを４ｍｍとしている。また、出力ディスク８は、インナーハブ２２の軸方向の一端面を覆うディスクカバー６０を有し、ディスクカバー６０を形成する素材に非金属材料を用いている。
【００５５】
本発明は、音の発生源となっている出力ディスク８の剛性を上げることにより、出力ディスク８の振動（いわゆる音の発生）を抑える構造を考案したものであり、本実施形態では、金属製であるインナーハブ２２の外径ΦＡを樹脂製であるピン部２３の部分まで大きくすることにより、また金属製であるインナーハブ２２のアウターリング３２の板厚ｔＡを厚くすることにより、出力ディスク８の剛性を高くしている。
【００５６】
これによれば、出力ディスク８の振動が抑えられ、従来、回転装置であるコンプレッサをＯＦＦしている時に発生していた１．５〜２ＫＨｚ付近の騒音を、低減することができる。図５は、コンプレッサより発生する音の周波数と音圧との関係を示したグラフであり、本実施形態での効果を表す。従来品に比べ、外形アップ・板厚同等（２．７ｍｍ）の発明品、外形アップ・板厚アップ（４ｍｍ）の発明品、それぞれでグラフに示すような低減効果があった。
【００５７】
また、本構造の特徴として、出力ディスク８を大きくしたり動力伝達装置の他の部品を変更したりすることなく、出力ディスク８の変更のみで騒音の低減をすることができる。また、インナーハブ２２の慣性重量のアップにより、コンプレッサの圧縮仕事によるトルク（回転）変動を低減することができる。
【００５８】
また本実施形態は、音の発生源の１つとなっているディスクカバー６０の固有振動数を変更することにより、ディスクカバー６０からの音の発生を抑える構造を考案したものであり、これによれば、ディスクカバー６０を従来はアルミニウム板で形成していたのに対して、ガスケット・ワニスシート・紙・布・ゴムなどの非金属材料を用いて形成したものである。
【００５９】
このようにアルミニウムと固有振動数の異なる素材を使用することにより、共振点を変えることができ、これによっても従来、回転装置であるコンプレッサをＯＦＦしている時に発生していた１．５〜２ＫＨｚ付近の騒音を、低減することができる。またこれも、本構造の特徴として、動力伝達装置の他の部品を変更することなく、ディスクカバー６０の変更のみで騒音の低減をすることができる。
【００６０】
（第２実施形態）
図６は、本発明の第２実施形態における出力ディスク８の半断面図である。出力ディスク８は、外径側に配されてピン部２３を有して金属製で円環状のアウターハブ２１と、その内径側に配されてアウターハブ２１と結合されてシャフト２の外周側に結合される金属製で円環状のインナーハブ２２とを有する。上述した第１実施形態と異なるのは、アウターハブ２１も金属製として、金属製のインナーハブ２２と例えばねじ締めによって結合している点のみである。
【００６１】
本実施形態も、音の発生源となっている出力ディスク８の剛性を上げることにより、出力ディスク８の振動（いわゆる音の発生）を抑える構造を考案したものであり、本実施形態では、従来樹脂製であったアウターハブ２１を金属製にすることにより、出力ディスク８の剛性を高くしている。
【００６２】
これによれば、出力ディスク８の振動が抑えられ、従来、回転装置であるコンプレッサをＯＦＦしている時に発生していた１．５〜２ＫＨｚ付近の騒音を、低減することができる。また、本構造の特徴として、出力ディスク８を大きくしたり動力伝達装置の他の部品を変更したりすることなく、出力ディスク８の変更のみで騒音の低減をすることができる。また、出力ディスク８の慣性重量のアップにより、冷媒圧縮機の圧縮仕事によるトルク（回転）変動を低減することができる。また、そのアウターハブ２１にてインナーハブ２２の軸方向の一端面を覆っている。これによれば、ディスクカバー６０を不要とすることができ、動力伝達装置のコストを抑えることができる。
【００６３】
（第３実施形態）
図７は、本発明の第３実施形態における出力ディスク８の半断面図である。出力ディスク８は、シャフト２の外周側に結合される略円筒状のインナーリング３１と、このインナーリング３１よりも外周側に配されてピン部２３を有して略円環板状のアウターリング３２とを、金属材料にて一体に形成している。上述した実施形態と異なるのは、出力ディスク８を金属材料にて一体に形成している点のみである。
【００６４】
本実施形態も、音の発生源となっているシャフト２の剛性を上げることにより、シャフト２の振動（いわゆる音の発生）を抑える構造を考案したものであり、本実施形態では、従来アウターハブ２１とインナーハブ２２とで構成していた出力ディスク８を、金属材料にて一体に形成することにより、出力ディスク８の剛性を高くしている。
【００６５】
これによれば、出力ディスク８の振動が抑えられ、従来、回転装置であるコンプレッサをＯＦＦしている時に発生していた１．５〜２ＫＨｚ付近の騒音を、低減することができる。また、本構造の特徴として、出力ディスク８を大きくしたり動力伝達装置の他の部品を変更したりすることなく、出力ディスク８の変更のみで騒音の低減をすることができる。また、出力ディスク８の慣性重量のアップにより、冷媒圧縮機の圧縮仕事によるトルク（回転）変動を低減することができる。
【００６６】
（第４実施形態）
図８は、本発明の第４実施形態における出力ディスク８の半断面図である。出力ディスク８は、外径側に配されてピン部２３を有して樹脂製で円環状のアウターハブ２１と、その内径側に配されてアウターハブ２１にインサート成形されてシャフト２の外周側に結合される金属製で円環状のインナーハブ２２と、これらの軸方向の一端面を覆う吸音部材７０とを有している。
【００６７】
本実施形態は、音の発生源となっている出力ディスク８を、吸音部材７０で覆うことにより、出力ディスク８からの音の伝播を抑える構造を考案したものであり、本実施形態では、出力ディスク８の一端面をゴム、発泡スチロール、スポンジおよびコルクなどの吸音部材７０で覆っている。これによれば、出力ディスク８からの音の伝播が抑えられ、従来、回転装置であるコンプレッサをＯＦＦしている時に発生していた１．５〜２ＫＨｚ付近の騒音を、低減することができる。
【００６８】
また、本構造の特徴として、出力ディスク８を大きくしたり動力伝達装置の他の部品を変更したりすることなく、吸音部材７０の追加のみで騒音の低減をすることができる。また、吸音部材７０がディスクカバー６０の機能であるトルクリミッタ機構の保護および作動後の破片の飛散防止を兼ねることでディスクカバー６０を不要とすることができ、動力伝達装置のコストを抑えることができる。
【００６９】
（その他の実施形態）
上述の実施形態では、本発明を自動車などの車両に搭載されるエンジンなどの駆動源によりベルト駆動されるコンプレッサプーリー装置に適用した例を説明したが、本発明は、上記した実施形態に限定されるものではなく、本発明を前記の車両または工場などの定位置に置かれる内燃機関や電動モータなどの駆動源によりベルト駆動または出力軸により直接駆動される動力伝達装置に適用しても良い。
【００７０】
また、上述の実施形態では、駆動側回転体として多段式のＶプーリー（いわゆるＶリブドプーリー）を用いたが、駆動側回転体として１個のＶ溝を有するＶプーリーを用いても良い。この場合には、そのＶプーリーの外周形状に対応した内周形状のＶベルトを使用する。
【００７１】
また、上述の実施形態では、本発明を、車両用空調装置の冷凍サイクルの一構成部品を成すコンプレッサのシャフト２を常時駆動するトルクリミッタ機構を備えたコンプレッサプーリー装置（動力伝達装置）に適用した例を説明したが、本発明を、その他の回転装置（例えばオルタネータ、ウォータポンプ、油圧ポンプ、ブロワまたはファン）を常時駆動するリミッタ機構を備えた動力伝達装置に適用しても良い。
【図面の簡単な説明】
【００７２】
【図１】（ａ）は本発明の第１実施形態におけるコンプレッサプーリー装置を示した正面図であり、（ｂ）は（ａ）の半側面図および半断面図である。
【図２】（ａ）は図１の出力ディスク８を内側から見た半正面図であり、（ｂ）は図１の出力ディスク８の半断面図、（ｃ）は従来の出力ディスク８の半断面図である。
【図３】（ａ）は図１のインナーハブ２２の正面図であり、（ｂ）は（ａ）の断面図である。
【図４】（ａ）は図１のディスクカバー６０の正面図であり、（ｂ）は（ａ）の断面図である。
【図５】コンプレッサより発生する音の周波数と音圧との関係を示したグラフであり、本発明の効果を表す。
【図６】第２実施形態における出力ディスク８の半断面図である。
【図７】第３実施形態における出力ディスク８の半断面図である。
【図８】第４実施形態における出力ディスク８の半断面図である。
【図９】（ａ）はゴムダンパ９とピン部２３との間に正のトルクが掛かったときの状態を示し、（ｂ）は負のトルクが掛かったときの状態を示す部分説明図である。
【符号の説明】
【００７３】
２…シャフト（回転軸）
７…Ｖプーリー（駆動側回転体）
８…出力ディスク（従動側回転体）
１５…軸方向穴（凹状嵌合部）
２１…アウターハブ
２２…インナーハブ
２３…ピン部（凸状嵌合部）
３１…インナーリング（内輪部）
３２…アウターリング（外輪部）
６０…ディスクカバー
７０…吸音部材
ｔＡ…アウターリング（外輪部）の板厚
ΦＡ…インナーハブの外径
ΦＰ…ピン部（凸状嵌合部）の内径
【図１】
2005331082.tif 000003
【図２】
2005331082.tif 000004
【図３】
2005331082.tif 000005
【図４】
2005331082.tif 000006
【図５】
2005331082.tif 000007
【図６】
2005331082.tif 000008
【図７】
2005331082.tif 000009
【図８】
2005331082.tif 000010
【図９】
2005331082.tif 000011